(57)【要約】【課題】操作性がよく、再製版時の待ち時間や用紙の補給頻度を低減してトータルな印刷時間の短縮を図れる孔版印刷装置を提供する。【解決手段】製版画像データに基づき未製版マスタを製版する製版手段５と、用紙Ｐ１、Ｐ２、Ｐ３を収納する複数の給紙部２，３，４と、各給紙部から用紙を給送する給紙手段１５，１６，１７とを備え、製版されたマスタ３３を用いて用紙に印刷を行う孔版印刷装置において、製版画像データを複数作成する製版データ作成部９と、製版データ作成部で作成された各製版画像データを記憶する記憶手段１０とを設けた。【選択図】                      図１
2004148778.tif 000002
【特許請求の範囲】
【請求項１】
製版画像データに基づき未製版マスタを製版する製版手段と、用紙を収納する複数の給紙部と、各給紙部から用紙を給送する給紙手段とを備え、前記給紙手段で給紙された用紙に対して製版されたマスタを用いて印刷を行う孔版印刷装置において、
前記製版画像データを複数作成する製版データ作成部と、前記製版データ作成部で作成された各製版画像データを記憶する記憶手段とを有することを特徴とする孔版印刷装置。
【請求項２】
請求項１記載の孔版印刷装置において、
前記製版データ作成部は、印刷開始時の用紙に対応する所定の向きの第１の製版画像データと、第１の製版画像データと９０度その向きが異なる第２の製版画像データとを作成することを特徴とする孔版印刷装置。
【請求項３】
請求項２記載の孔版印刷装置において、
前記各給紙部内の用紙のサイズと向きを検出する検出手段と、
印刷動作が印刷規定枚数終了前に停止したときに、前記検出手段の検出情報と印刷開始時の用紙のサイズと向きの情報とを比較し、同サイズ、同方向の用紙が検出された場合には第１の製版画像データを用いて前記製版手段で再製版マスタを作成し、同サイズ、異方向の用紙が検出された場合には第２の製版画像データを用いて前記製版手段で再製版マスタを作成する再製版処理を行う制御手段とを有することを特徴とする孔版印刷装置。
【請求項４】
請求項３記載の孔版印刷装置において、
前記再製版処理を行う再製版モードを選択するモード選択手段を有し、
前記制御手段は、前記モード選択手段によって再製版モードが選択されている場合に再製版を行うことを特徴とする孔版印刷装置。
【請求項５】
請求項３または４記載の孔版印刷装置において、
印刷残り枚数を検出する手段を有し、
前記制御手段は、前記印刷残り枚数と予め設定された再製版許容印刷枚数とを比較し、印刷残り枚数が再製版許容印刷枚数を超えている場合に、再製版マスタを作成することを特徴とする孔版印刷装置。
【請求項６】
請求項５記載の孔版印刷装置において、
前記再製版許容印刷枚数を任意に設定する許容枚数設定手段を有することを特徴とする孔版印刷装置。
【請求項７】
請求項１ないし６の何れか１つに記載の孔版印刷装置において、
原稿の画像を読み取る画像読取部を有し、
前記製版データ作成部は、前記画像読取部で読み取らたれ画像データを基に製版画像データを作成することを特徴とする孔版印刷装置。
【請求項８】
請求項１ないし６の何れか１つに記載の孔版印刷装置において、
画像データ入力部を有し、
前記製版データ作成部は、前記画像データ入力部から入力された画像データを基に製版画像データを作成することを特徴とする孔版印刷装置。
【発明の詳細な説明】
【０００１】
【発明の属する技術分野】
本発明は、製版されたマスタを用いて印刷を行う孔版印刷装置に関し、詳しくは印刷途中でマスタを再製版する孔版印刷装置に関する。
【０００２】
【従来の技術】
多孔性の支持円筒体からなる版胴と、熱可塑性樹脂フィルムに多孔性支持体を貼り合わせたラミネート構造のマスタとを用い、マスタの熱可塑性樹脂フィルム面を製版画像データに基づきサーマルヘッドで加熱溶融穿孔して製版マスタを作成した後に版胴に巻装し、版胴内部に設けられたインキ供給手段で版胴の内周面に適量のインキを供給して、プレスローラや圧胴等の押圧部材で用紙を版胴に押圧することにより、版胴開孔部、マスタ穿孔部より滲出したインキを用紙に転写させて印刷を行うデジタル式感熱孔版印刷装置がよく知られている。
上述の孔版印刷装置には、印刷の多様化に備え、様々なサイズの用紙が同一あるいは異なる方向に給紙トレイやカセット等の給紙部に収納あるいは載置されてセットされている。孔版印刷装置では、要求されたサイズと方向の用紙が給紙部にセットされているか否かを判断し、所望の用紙がセットされている場合には、その用紙がセットされている給紙部を選択して画像データの向きやサイズを変更することなく製版画像データを作成して製版を行い、サイズのみが一致する用紙がセットされている場合には、画像データを９０度回転させた製版画像データを作成し、この製版画像データに基づき製版を行っている。孔版印刷装置では、印刷に際して印刷枚数を設定してから印刷を開始するが、用紙切れになると印刷が一旦中断され、該当するサイズや方向の用紙が設置された給紙部を検索し、該当するものがある場合には、その給紙部を選択して印刷を再開し、該当する用紙が無い場合には用紙が補給されるまで印刷中断が継続するようになっている。
特許文献１には、ある画像データに対する最初の製版時の製版画像データを記憶部に記憶しておき、マスタの限界許容枚数相当の印刷枚数になると印刷途中でも一旦印刷を停止し、記憶した製版画像データを用いてマスタを再製版して印刷を再開する孔版印刷装置が記載されている。
【０００３】
【特許文献１】
特開２００１−１９９０３２号公報
【０００４】
【発明が解決しようとする課題】
従来の孔版印刷装置では、用紙切れによって印刷が中断された場合、同サイズの用紙が設定されていても、中断前の用紙のサイズおよび方向と同一の用紙がセットされていなければ印刷を再開しないので、新たな用紙の補給を待たなければならず不便であった。特に画像データを端末からネットワーク経由で孔版印刷装置に入力する場合、オペレータは孔版印刷装置の前で操作することが少なく、予め孔版印刷装置にセットされた用紙を用いて指定した印刷部数分の印刷が完了されることが望ましい。
特許文献１においては、最初の製版に用いた製版画像データを記憶部に記憶させて再製版時の製版画像データとして再利用しているので、再製版毎に新規に画像データを取り込む必要は無いが、再製版時に異なる方向の用紙に対応するためには、記憶した製版画像データを９０度回転させた製版画像データとしなければならず、用紙のセット方向が中断前の用紙のセット方向と異なっている製版時に時間を要してしまうという課題がある。
本発明は、操作性がよく、再製版時の待ち時間や用紙の補給頻度を低減してトータルな印刷時間の短縮を図れる孔版印刷装置を提供することを目的する。
【０００５】
【課題を解決するための手段】
上記目的を達成するため、請求項１では、製版画像データに基づき未製版マスタを製版する製版手段と、用紙を収納する複数の給紙部と、各給紙部から用紙を給送する給紙手段とを備え、前記給紙手段で給紙された用紙に対して製版されたマスタを用いて印刷を行うものであって、製版画像データを複数作成する製版データ作成部と、製版データ作成部で作成された各製版画像データを記憶する記憶手段とを有する孔版印刷装置を提案している。作成された製版画像データは、ある画像データに対する印刷が終了するまで記憶しておくのが好ましい。
【０００６】
請求項２は、請求項１記載の孔版印刷装置において、製版データ作成部で作成する製版画像データが、印刷開始時の用紙に対応する所定の向きの第１の製版画像データと、第１の製版画像データと９０度その向きが異なる第２の製版画像データであることを特徴としている。
【０００７】
請求項３は、請求項２記載の孔版印刷装置において、各給紙部内の用紙のサイズと向きを検出する検出手段と、印刷動作が印刷規定枚数終了前に停止したときに、検出手段の検出情報と印刷開始時の用紙のサイズと向きの情報とを比較し、同サイズ、同方向の用紙が検出された場合には第１の製版画像データを用いて製版手段で再製版マスタを作成し、同サイズ、異方向の用紙が検出された場合には第２の製版画像データを用いて製版手段で再製版マスタを作成する再製版処理を行う制御手段とを有することを特徴としている。
【０００８】
請求項４では、請求項３記載の孔版印刷装置において、再製版処理を行う再製版モードを選択するモード選択手段を有し、制御手段が、モード選択手段によって再製版モードが選択されている場合に再製版を行うことを特徴としている。
【０００９】
請求項５では、請求項３または４記載の孔版印刷装置において、印刷残り枚数を検出する手段を有し、制御手段が、印刷残り枚数と予め設定された再製版許容印刷枚数とを比較し、印刷残り枚数が再製版許容印刷枚数を超えている場合に、再製版マスタを作成することを特徴としている。
【００１０】
請求項６では、請求項５記載の孔版印刷装置において、再製版許容印刷枚数を任意に設定する許容枚数設定手段を有することを特徴としている。
【００１１】
請求項７では、請求項１ないし６の何れか１つに記載の孔版印刷装置において、原稿の画像を読み取る画像読取部を有し、製版データ作成部が、画像読取部で読み取れらたれ画像データを基に製版画像データを作成することを特徴としている。
【００１２】
請求項８では、請求項１ないし６の何れか１つに記載の孔版印刷装置において、画像データ入力部を有し、製版データ作成部が、画像データ入力部から入力された画像データを基に製版画像データを作成することを特徴としている。
【００１３】
【発明の実施の形態】
図面を用いて本発明の一実施例である孔版印刷装置について説明する。図１に示す孔版印刷装置は、画像読取部１、複数の給紙部２，３，４、製版手段５、印刷部６、排紙部７、排版部８を備えている。
【００１４】
画像読取部１は、孔版印刷装置の本体１１の上部に配設されていて、コンタクトガラス１２や原稿載置台１４に載置される原稿１３の画像を走査して読み取り、読み取ったデータを画像データとする。
【００１５】
給紙部２は、装置本体１１の右側面に装着されたトレイであって、用紙Ｐ１が積載されている。用紙Ｐ１の上方には、給紙手段となる給紙ローラ群１５が配設されていて、図示しない駆動モータによって回転駆動されることで、用紙Ｐ１を印刷部６に向かって給紙するように構成されている。
【００１６】
給紙部３，４は、装置本体１１の下部に配設された給紙トレイであって、各トレイには異なるサイズの用紙Ｐ２，Ｐ３が収納されている。用紙Ｐ２，Ｐ３の上方には、給紙手段となる給紙ローラ１６，１７が配設されていて、図示しない駆動モータによって回転駆動されることで、用紙Ｐ２，Ｐ３を印刷部６に向かって給紙するように構成されている。印刷部２，３，４には、用紙Ｐ１，Ｐ２，Ｐ３のサイズとセット方向を検出する検出手段１８，１９，２０が設けられている。これら検出手段は、各給紙部２，３，４に配設された周知のエンドフェンス２１，２２，２３やサイドフェンス２４，２５，２６の位置を検知して各用紙のサイズと方向を検出する。本明細書中、用紙Ｐ１からＰ３を総称して用紙Ｐと記す場合がある。
【００１７】
製版手段４は、製版画像データに基づき未製版マスタをサーマルヘッドで加熱穿孔製版し、原稿サイズに応じて所定長さに製版されたマスタを切断して製版された一版分のマスタ３３（以下、「製版済みマスタ３３」と記す）を作成する周知のものである。廃版部８は、印刷を終了した製版済みマスタ３３を版胴３０の外周面から剥がし、その内部に圧縮収納するものである。
【００１８】
印刷部６は、その外周面に製版済みマスタ３３を巻装して回転する版胴３０、版胴内部にインキを供給するインキ供給手段３１、給紙された用紙を版胴３０の外周面に押圧する押圧部材としてのプレスローラ３２等から主に構成されており、版胴３０とプレスローラ３２との間に形成される転写部３４に搬送される用紙Ｐ１，Ｐ２，Ｐ３を、版胴３０とプレスローラ３２で挟持することで各用紙に製版済みマスタ３３に形成された製版画像に対応するインキ画像を印刷する。転写部３４への用紙侵入側となる転写部３４の右方には、レジストローラ対２７が配置されている。レジストローラ対２７は、製版済みマスタ３３の製版画像先端と用紙の画像形成領域の先端とが一致するタイミングで各用紙を送り出すように図示しない駆動モータによって駆動される。
【００１９】
印刷部５の左方には排紙部７が配設されている。排紙部７は、版胴３０の外周面に近接配置された剥離爪４１、一方が駆動側を成すローラ対に巻きかけられた搬送ベルト４２、搬送ベルト４２に吸着力を与える吸引ファン４３、搬送ベルト４２で搬送された用紙を受ける排紙トレイ４４とを備えている。
【００２０】
このような構成の孔版印刷装置によると、製版手段５で製版された製版済みマスタ３３が版胴３０の外周面に巻装された版胴３０は、図示しない駆動モータによって回転する。そして用紙Ｐが給紙されると転写部３４においてプレスローラ３２から押圧力を受けて版胴３０の外周面に押圧されて製版画像に対応するインキ画像が印刷される。転写部３４を通過した用紙は、搬送ベルト４２に吸着されて排紙トレイ４４に向かって搬送されてこのトレイ上に順次排紙される。
【００２１】
次に本発明の特徴的な構成について説明する。孔版印刷装置は、図２に示すように、製版手段５での加熱穿孔製版に用いる製版画像データを複数作成する製版データ作成部９と、製版データ作成部９で作成された各製版画像データを記憶する記憶手段１０、制御手段５０、再製版処理を行う再製版モードを選択するモード選択手段としての再製版モードキー５１、再製版許容印刷枚数を任意に設定する許容枚数設定手段としての許容印刷枚数設定キー５２、印刷残り枚数を検出する手段としてのカウンタ５３を備えている。
【００２２】
製版データ作成部９は、印刷開始時の用紙Ｐ１、Ｐ２またはＰ３に対応する所定の向きの第１の製版画像データと、第１の製版画像データと９０度その向きが異なる第２の製版画像データとを画像データに基づき作成し、記憶手段１０にそれぞれ記憶する。本形態でいう画像データとは、画像読取部１で原稿１３から読み取ったデータを指す。用紙に対する所定の向きとは、用紙Ｐに原稿１３と同一の向きに画像印刷ができる向きである。
【００２３】
制御手段５０は、周知のコンピュータから構成されていて、記憶手段１０、製版手段５、カウンタ５３、検知手段１８，１９，２０が図示しない信号線によって接続されている。制御手段５０は、印刷動作が印刷規定枚数終了前に停止したときに、検出手段１８，１９，２０の検出情報と印刷開始時の用紙のサイズと向きの情報とを比較し、同サイズ、同方向の用紙が検出された場合には第１の製版画像データを用いて製版手段５で再製版マスタを作成し、同サイズ、異方向の用紙が検出された場合には第２の製版画像データを用いて製版手段５で再製版マスタを作成する再製版処理と、再製版を実行しない通常の印刷処理とを行う。印刷規定枚数とは、印刷開始時にテンキー５４によって入力される印刷希望枚数のことを指す。
【００２４】
カウンタ５３は、印刷規定枚数が規定され、製版から印刷までの動作を開始させる製版／印刷キー５５の操作により印刷動作が開始されると、印刷規定枚数をカウントダウンして印刷残り枚数情報を制御手段５０に提供する。
【００２５】
再製版モードキー５１は、オン／オフスイッチであって、オン状態となると再製版モードが設定される。許容印刷枚数設定キー５２は、オン／オフスイッチであって、オン状態においてテンキーから所定の枚数に対応する数値が入力されると、その数値を許容印刷枚数として制御手段５０に設定する。許容印刷枚数とは、再製版する場合のコストを考慮した枚数である。印刷残枚数が１枚の場合、この一枚のために再製版することはコストの点から割高になるので、再製版しても妥当なコストとなる枚数を設定可能としている。無論印刷許容枚数をゼロに設定すればコストを度外視することにはなるが、用紙切れで印刷が中断し、対応する用紙Ｐのサイズが装置にセットされていれば、自動的に再製版されるようになる。印刷許容枚数としては用紙サイズや画像データ量、すなわち未製版マスタに対する穿孔領域によっても異なるが、５枚程度が妥当であると思われる。
【００２６】
本形態では再製版モードキー５１、許容印刷枚数設定キー５２、テンキー５４、製版／印刷キー５５、および製版動作や印刷動作を中止する再に操作するストップキー５６が孔版印刷装置の操作パネル６０上に設けられていて、制御手段５０と図示しない信号線によって接続されている。
【００２７】
次に、図３，図４に示すフローチャートに添って本形態の特徴的な動作を説明する。
図３のフローチャートにおいて、ステップＳ１で印刷条件の決定を行う。このステップでは、印刷に使用する用紙Ｐのサイズや方向、印刷規定枚数、印刷モード及び許容印刷枚数を入力する。これら印刷条件の決定が終了すると、ステップＳ２に進んで製版／印刷キー５５を操作して印刷プロセスが開始される。印刷プロセスでは、画像読取部１で原稿１３から画像の読み込みを開始し、ステップＳ３に進んで読み取った画像データをホスト側となるデータ処理部に送信しステップＳ４に進む。データ処理部としては制御手段５０を用いても良いし、制御手段５０とは個別に設けたものであっても良い。
【００２８】
ステップＳ４では、コントローラとなる製版データ作成部９で、画像データから第１の製版画像データと第２の製版画像データとを作成し、ステップＳ５においてこの作成した製版画像データを記憶手段１０に一時保存する。ココで保存する製版画像データは、指定方向及び９０度回転した第１及び第２の双方のデータである。
【００２９】
データの保存後はステップＳ６において、指定サイズの用紙Ｐが装置に設置されているか否かが、検知手段１８，１９，２０からの情報と、ステップＳ１で設定した情報とを比較することでは判断される。この結果、印刷開始前に指定サイズの用紙Ｐが装置に設置されていない場合には、ステップＳ７に進んでオペレータによる用紙補給が実行され、指定サイズの用紙Ｐがある場合には、ステップＳ８に進む。
【００３０】
ステップＳ８では、指定方向の用紙が装置にあるか否かが、検知手段１８，１９，２０からの情報と、ステップＳ１で設定した情報とを比較することでは判断される。そして、指定方向の用紙がある場合には、ステップＳ１０に進んで指定方向の画像データ、すなわち第１の製版画像データを用いた製版を行い、指定方向の用紙がない場合には、ステップＳ９に進んで指定方向から９０度回転させた画像データ、すなわち第２の製版画像データを用いた製版を行い、各ステップとも製版後にステップＳ１１に進む。
【００３１】
ステップＳ１１では、設定された指定部数の印刷が開始され、ステップＳ１２において、指定部数の印刷が終了したか否かをカウンタ５３からのデータによって判断する。カウンタ５３が残枚数なし、すなわちゼロ情報を示す場合には所定部数の印刷が終了したものとして終了し、指定部数の印刷が終了していない場合にはステップＳ１３に進んで再生版処理を行う。
【００３２】
図４に示すフローチャートにおいて、ステップＴ１では製版に用いた版と同サイズ、同方向の用紙Ｐが、用紙Ｐの無くなったトレイとは別の給紙トレイにあるか否かが判断される。すなわち、ここでは、印刷開始時の用紙Ｐのサイズや方向と、同サイズ、同方向の用紙Ｐが装置にセットされているか否かを判断する。そして、用紙が無くなった給紙トレイ以外の給紙トレイに用紙Ｐがある場合には、ステップＴ２に進んで、該当する給紙トレイから用紙Ｐを給紙して印刷を再開して継続し、ステップＴ８において、指定部数の印刷が終了すれば印刷終了となり、指定部数の印刷が終了していない場合にはステップＴ１に戻り、印刷部数が終了するまで印刷が継続される。
【００３３】
一方、用紙Ｐが無くなった給紙トレイ以外の給紙トレイに、印刷開始時と同サイズ、同方向の用紙Ｐがない場合には、ステップＴ３に進んで、製版に用いた版と同サイズの用紙Ｐが別なトレイにあるか否かが判断される。すなわち、用紙Ｐが無くなった給紙トレイ以外の給紙トレイに印刷開始時の用紙Ｐと同サイズの用紙Ｐがあるか否かが判断される。ここで、同サイズの用紙Ｐがない場合には、ステップＴ９に進んで用紙補給がオペレータによって行われた後、ステップＴ８に進み、指定部数の印刷が終了するまで印刷が継続し、指定部数の印刷部数が終了すると、この制御も終了する。
【００３４】
同サイズの用紙Ｐがある場合には、ステップＴ４に進み、再製版モードが有効か否かが判断される。再製版モードが設定されて有効とされている場合には、ステップＴ５に進み、印刷残り枚数が再製版許容印刷枚数以上か否かが判断され、有効でない場合にはステップＴ９に進んで用紙補給がなされた後ステップＴ８に進む。印刷残り枚数が再製版許容印刷枚数以上である場合には、ステップＴ６に進み、記憶手段１０である一時記憶装置に記憶された９０度回転の製版画像データ、すなわち第２の製版画像データを用いた再製版が実行されてステップＴ８に進む。そして、ステップＴ８において、指定部数の印刷終了の有無が版端され、指定部数の印刷が終了している場合には、この制御が終了し、今だ達していなければステップＴ１に戻り指定部数となるので印刷が行われる。
【００３５】
このように指定部数の印刷が終了する前に、用紙がなくなった場合においては、同方向、同サイズの用紙がなくても、同サイズで異なる方向に用紙がセットされていれば、再製版する再に、印刷開始時に予め作成しておいた第２の製版画像データを用いて再製版を行うので、操作性がよく用紙の補給頻度が低減するとともに、待ち時間も少なくなる。第２の製版画像データは、第１の製版画像データと一緒に作成されるので、再製版時に、原稿画像を取り込んでから製版画像データを作成する場合よりも、待ち時間がより短くなる。許容印刷枚数設定キー５２を操作してテンキーで数値を入力することで許容印刷枚数を調整できるので、用紙のサイズに応じて許容印刷枚数を変更することができ、コストの低減となる。
【００３６】
本形態では、画像データとして画像読取部１からの画像データを用いて製版画像データを製版データ作成部９で複数作成したが、画像データの入力先は画像読取部１に限定されるものではない。例えば、図１に示す孔版印刷装置が、符号７０で示す画像データ入力部となるネットワーク端子を備えていて、あるネットワークにケーブルを介して接続している場合、このネットワークに接続している図示しないパソコンなどの端末から印刷すべき画像データを孔版印刷装置に送信して入力し、この入力された画像データを用いて製版データ作成部９で複数の製版画像データを作成する形成であっても良い。この場合、孔版印刷装置と端末との間に距離がある場合、オペレータが装置に行く頻度が低減するので、より操作性の良い装置となる。
【００３７】
【発明の効果】
本発明によれば、製版画像データを複数作成する製版データ作成部と、製版データ作成部で作成された各製版画像データを記憶する記憶手段とを有するので、製版する毎に画像データの読み込みや製版画像データの作成をしなくて良く、操作性が良く、待ち時間も少なくなる。
【００３８】
本発明によれば、製版データ作成部で作成する製版画像データが、印刷開始時の用紙に対応する所定の向きの第１の製版画像データと、第１の製版画像データと９０度その向きが異なる第２の製版画像データであるので、印刷用紙の向きが印刷当初のものと異なっている場合には、第２の製版画像データを用いて製版でき、製版時間や待ち時間を短縮することができる。
【００３９】
本発明によれば、指定部数の印刷が終了する前に、用紙がなくなった場合に、同方向、同サイズの用紙がなくても、同サイズで異なる方向に用紙がセットされている場合には、再製版する際に印刷開始時に予め作成しておいた第２の製版画像データを用いて再製版を行うので、操作性がよく用紙の補給頻度が低減するとともに、再製版を実行するまでの待ち時間も低減することができる。
【００４０】
本発明によれば、許容印刷枚数設定手段により許容印刷枚数を調整できるので、用紙のサイズに応じて許容印刷枚数を変更することができ、コストの低減を図ることができる。
【図面の簡単な説明】
【図１】本発明の一実施の形態を示す孔版印刷装置の要部概略図である。
【図２】図１に示す孔版印刷装置で行う再製版処理に係る制御系のブロック図である。
【図３】孔版印刷装置の再製版処理までの動作を示すフローチャートである。
【図４】再製版処理のフローチャートである。
【符号の説明】
１    画像読取部
２，３，４    複数の給紙部
５    製版手段
９    製版データ作成部
１０    記憶手段
１３    原稿
１５，１６，１７    給紙手段
１８，１９，２０    検出手段
３３    製版されたマスタ
５０    制御手段
５１    モード選択手段
５３    印刷残り枚数を検出する手段
５２    許容枚数設定手段
７０    画像データ入力部
Ｐ１，Ｐ２，Ｐ３    用紙
【図１】
2004148778.tif 000003
【図２】
2004148778.tif 000004
【図３】
2004148778.tif 000005
【図４】
2004148778.tif 000006